(57)【要約】 【目的】  Ａ−ＤＰＣＨによる通信の送信電力制御を効率よく的確に行えることを課題とする。【構成】  Ｗ−ＣＤＭＡ方式の下でＨＳＤＰＡサービスを受ける移動局装置のＡ−ＤＰＣＨを使用した通信の送信電力制御装置において、０ビットデータからなる受信ブロックに対して所要受信品質を満足するための目標ＳＩＲ閾値１と、ＤＣＣＨからなる受信ブロックに対して所要受信品質を満足するための目標ＳＩＲ閾値２とを設け、連続して所定数分の受信ブロックにつきＣＲＣ−ＯＫが検出されたことにより目標ＳＩＲを所定量ｂだけ下げると共に、０ビットデータからなるブロックを受信した際の目標ＳＩＲの下限を目標ＳＩＲ閾値１として制御し、何れかの受信ブロックにつきＣＲＣエラーが検出されたことにより目標ＳＩＲを目標ＳＩＲ閾値２に更新する。【選択図】  図３
2008011002.tif 000002
【特許請求の範囲】
【請求項１】
Ｗ−ＣＤＭＡ方式の下で高速下りリンクパケット伝送ＨＳＤＰＡサービスを受ける移動局装置の付随個別物理チャネルＡ−ＤＰＣＨを使用した通信の送信電力制御装置において、
Ａ−ＤＰＣＨの０ビットデータからなるトランスポートブロックに対して所要受信品質を満足するための第１の目標ＳＩＲ閾値と、個別制御チャネルＤＣＣＨからなるトランスポートブロックに対して所要受信品質を満足するための前記第１の目標ＳＩＲ閾値よりも第１の所定量高い第２の目標ＳＩＲ閾値とを設け、
連続して所定数分の受信ブロックにつきＣＲＣ−ＯＫが検出されたことにより上りＴＰＣビットを生成するための目標ＳＩＲを第２の所定量だけ下げると共に、前記０ビットデータからなるトランスポートブロックを受信した際の目標ＳＩＲの下限を前記第１の目標ＳＩＲ閾値として制御し、何れかの受信ブロックにつきＣＲＣエラーが検出されたことにより前記目標ＳＩＲを第２の目標ＳＩＲ閾値に更新する目標ＳＩＲ制御手段を備えたこと特徴とする送信電力制御装置。
【請求項２】
目標ＳＩＲ制御手段は、連続して所定数分の受信ブロックにつきＣＲＣ−ＯＫが検出された後は、次に受信されたブロックにつきＣＲＣ−ＯＫが検出される度に目標ＳＩＲを第２の所定量づつ下げることを特徴とする請求項１記載の送信電力制御装置。
【請求項３】
目標ＳＩＲ制御手段は、目標ＳＩＲが前記第２の目標ＳＩＲ閾値以上の状態で受信したブロックにつきＣＲＣエラーが検出されたことにより、目標ＳＩＲを第３の所定量上げることを特徴とする請求項２記載の送信電力制御装置。
【請求項４】
受信パイロットのエラーレ−トを測定するパイロット測定手段を備え、
目標ＳＩＲ制御手段は、受信パイロットのエラーレ−トが所定閾値を超えたことにより第１の目標ＳＩＲ閾値に所定のオフセット値を加えた閾値によって目標ＳＩＲを更新することを特徴とする請求項１記載の送信電力制御装置。
【請求項５】
下り共通パイロットチャネルＣＰＩＣＨの受信電力を測定し、得られた受信電力をその大きさに従って複数段階のＣＱＩ値に分類すると共に、該ＣＱＩ値を複数のグループにクラス分けして、各クラスに対応するオフセット値を設けるＣＱＩ判定手段を備え、
目標ＳＩＲ制御手段は、第１の目標ＳＩＲ閾値に前記各クラスに応じたオフセット値をを加えた閾値によって目標ＳＩＲを更新することを特徴とする請求項１記載の送信電力制御装置。
【発明の詳細な説明】
【技術分野】
【０００１】
本発明は送信電力制御装置に関し、更に詳しくは、Ｗ−ＣＤＭＡ方式の下で高速下りリンクパケット伝送ＨＳＤＰＡサービスを受ける移動局装置の付随個別物理チャネルＡ−ＤＰＣＨを使用した通信の送信電力制御に適用して好適なるものである。
【背景技術】
【０００２】
Ｗ−ＣＤＭＡでは、下りリンクの更なる高速化を図るため、新たな下りリンク（パケット伝送用チャネル）を追加する高速下りリンクパケットアクセスＨＳＤＰＡ（High Speed
Down Link Packet Access）が提案されている。このＨＳＤＰＡにおいて、ＨＳ−ＰＤＳＣＨ（High Speed Physical Downlink Shared Channel）はパケット伝送用の下り共有通信チャネルであり、移動局と基地局間で複数ユーザが共有する。またＨＳ−ＳＣＣＨ（Shared Control Channel of HS-PDSCH）は下り共有制御チャネルであり、リソース割当情報（ＴＦＲＩ：Transport format and Resource related information）や制御情報Ｈ−ＡＲＱ（Hybrid-Automatic Repeat Request）等を伝送する。更に、Ａ−ＤＰＣＨ（Associated-Dedicated PhisycalChannel for HS-PDSCH）は、ＨＳＤＰＡ伝送を行う際の上り下り付随個別チャネルであり、パイロット信号やＴＰＣ(Transmit Power Control)コマンド等を伝送すると共に、上りリンクでは基地局からのパケットに対するＡＣＫ／ＮＡＣＫ信号や、端末で復調可能なパケットデータの変調方式や符号化率を示すＣＱＩ（Channel Quality Indicator）信号も伝送する。
【０００３】
Ｗ−ＣＤＭＡにおける送信電力制御は、移動局で測定した受信パイロットのＳＩＲ（Signal to Interference power Ratio）が目標ＳＩＲと一致するようにＴＰＣ（Transmission Power Control）コマンドを生成し、基地局の送信電力制御を行うインナーループ制御と、移動局で比較的長期間に渡る受信データの受信品質ＢＬＥＲ(Block Error Rate）を測定し、該受信品質が目標品質と一致するように前記目標ＳＩＲを更新するアウターループ制御とにより行われる。
【０００４】
図８に従来の典型的なアウターループ制御の動作タイミングチャートを示す。通信開始後、移動局は対象ＴｒＣＨ(Transport Channel)の受信品質ＢＬＥＲの測定を開始する。アウターループ制御では、ある区間（Ｔｍａｘ）のＴＢ(Transport Block)を受信後、そのＣＲＣ検査結果を参照し、ＣＲＣ−ＮＧが検出されなかった場合は目標以上のＢＬＥＲを達成できたことにより目標ＳＩＲをｙ[ｄＢ]下げるように更新し、また１又は２以上のＣＲＣ−ＮＧが検出された場合は目標ＳＩＲをｘ[ｄＢ]上げるように更新する。また、ＣＲＣ−ＮＧとなった場合は、次の測定区間をＴｍａｘ×ＮＧブロック数としてＣＲＣ検査を行い、こうして、長期間に渡る受信品質が目標品質（ＢＬＥＲ）となるように制御を行う。
【０００５】
ところで、ＨＳＤＰＡにおけるＡ−ＤＰＣＨ通信では、制御チャネルＤＣＣＨの未送信区間に送られるデータ無しの０ビットＴＢにもＣＲＣが付与されており、これによってＣＲＣエラーの有無を検査できる。ＨＳＤＰＡの実通信環境では、移動局は、ほとんどの場合は０ビットＴＢを受信しており、たまにハンドオーバ等で状態変化が生じた時にＤＣＣＨを受信するものと想定される。このため、ＤＣＣＨのみならず、０ビットＴＢも有効利用してアウターループ制御を隙間無く適正に行うことが望まれる。
【０００６】
なお、従来は、正確な送信電力制御を行うと共に、受信ＤＰＤＣＨデータがない時は、受信パイロットのエラーレートを測定することで、目標ＳＩＲが同期維持に必要な最小ＳＩＲとなるように制御する送信電力制御方法及び装置が知られている（特許文献１）。
【特許文献１】特開２００５−５７６２
【発明の開示】
【発明が解決しようとする課題】
【０００７】
しかし、ＨＳＤＰＡのＡ−ＤＰＣＨに対して上記従来のアウターループ制御を適用すると、以下の問題が生じ得る。即ち、一般に０ビットＴＢはＤＣＣＨよりも受信特性（Ｅｃ/Ｎｏ）が良いため、０ビットＴＢを連続して受信すると、目標ＳＩＲが低レベルに収束してしまう。その結果、基地局の送信電力が下げ過ぎとなり、これに伴い下りＴＰＣビットの誤検出による送信電力のばたつきや、同期ワード(ＳＷ)エラーによる同期外れが発生する。また、移動局の受信が０ビットＴＢからＤＣＣＨに切り替わった際には、送信電力の下げ過ぎによるＤＣＣＨの受信エラーが多発し、ハンドオーバ、レート切り替え等の状態遷移失敗や基地局との状態不一致が発生する。また、移動局でＡ−ＤＰＣＨの送信電力制御が最適に行われない場合は、移動局１台あたりの基地局送信電力が高くなり、他ユーザへの干渉が増大し、システム容量が減少する。
【０００８】
本発明は上記従来技術の問題点に鑑みなされたもので、その目的とするところは、Ａ−ＤＰＣＨによる通信の送信電力制御を効率よく的確に行える送信電力制御装置を提供することにある。
【課題を解決するための手段】
【０００９】
本発明の第１の態様による送信電力制御装置は、Ｗ−ＣＤＭＡ方式の下で高速下りリンクパケット伝送ＨＳＤＰＡサービスを受ける移動局装置の付随個別物理チャネルＡ−ＤＰＣＨを使用した通信の送信電力制御装置において、Ａ−ＤＰＣＨの０ビットデータからなるトランスポートブロックに対して所要受信品質を満足するための第１の目標ＳＩＲ閾値と、個別制御チャネルＤＣＣＨからなるトランスポートブロックに対して所要受信品質を満足するための前記第１の目標ＳＩＲ閾値よりも第１の所定量高い第２の目標ＳＩＲ閾値とを設け、連続して所定数分の受信ブロックにつきＣＲＣ−ＯＫが検出されたことにより上りＴＰＣビットを生成するための目標ＳＩＲを第２の所定量だけ下げると共に、前記０ビットデータからなるトランスポートブロックを受信した際の目標ＳＩＲの下限を前記第１の目標ＳＩＲ閾値として制御し、何れかの受信ブロックにつきＣＲＣエラーが検出されたことにより前記目標ＳＩＲを第２の目標ＳＩＲ閾値に更新する目標ＳＩＲ制御手段を備えるものである。
【００１０】
本発明によれば、０ビットＴＢを低い送信電力の下で効率よく受信できると共に、受信エラーが生じた際の目標ＳＩＲは速やかに目標ＳＩＲ閾値２に上昇するため、ＤＣＣＨの受信も速やかに適正に行える。
【００１１】
本発明の第２の態様では、目標ＳＩＲ制御手段は、連続して所定数分の受信ブロックにつきＣＲＣ−ＯＫが検出された後は、次に受信されたブロックにつきＣＲＣ−ＯＫが検出される度に目標ＳＩＲを第２の所定量づつ下げるものである。従って、０ビットＴＢが連続した場合の下り送信電力は、速やかに低レベルに収束する。
【００１２】
本発明の第３の態様では、目標ＳＩＲ制御手段は、目標ＳＩＲが前記第２の目標ＳＩＲ閾値以上の状態で受信したブロックにつきＣＲＣエラーが検出されたことにより、目標ＳＩＲを第３の所定量上げるものである。従って、通信環境の劣化にも速やかに対応できる。
【００１３】
本発明の第４の態様では、受信パイロットのエラーレ−トを測定するパイロット測定手段を備え、目標ＳＩＲ制御手段は、受信パイロットのエラーレ−トが所定閾値を超えたこ
とにより第１の目標ＳＩＲ閾値に所定のオフセット値を加えた閾値によって目標ＳＩＲを更新するものである。
【００１４】
ところで、ＣＲＣエラーは誤り訂正後の受信データに基づく受信品質の評価であるのに対して、受信パイロットのエラーレ−トはモデムで検出されるため、実通信環境の変動により直結した受信品質を表している。本発明によれば、目標ＳＩＲのアウターループ制御にパイロットの受信環境に応じた閾値オフセットを加える構成により、より迅速で実通信環境の変動に忠実な送信電力制御を行える。
【００１５】
本発明の第５の態様では、下り共通パイロットチャネルＣＰＩＣＨの受信電力を測定し、得られた受信電力をその大きさに従って複数段階のＣＱＩ値に分類すると共に、該ＣＱＩ値を複数のグループにクラス分けして、各クラスに対応するオフセット値を設けるＣＱＩ判定手段を備え、目標ＳＩＲ制御手段は、第１の目標ＳＩＲ閾値に前記各クラスに応じたオフセット値をを加えた閾値によって目標ＳＩＲを更新するものである。
【００１６】
本発明によれば、目標ＳＩＲのアウターループ制御に共通パイロットＣＰＩＣＨの受信電力（ＣＱＩ値）に応じた閾値オフセットを加える構成により、より迅速で実通信環境の変動に忠実な送信電力制御を行える。
【発明の効果】
【００１７】
以上述べた如く本発明によれば、従来よりもＡ−ＤＰＣＨの送信電力を低減及び最適化できると共に、同期ワードや下りＴＰＣビットを含むＤＣＣＨの受信品質を適正に維持でき、ハンドオーバやレート切り替え等の状態遷移時の処理を円滑に行える。また送信電力の低減により、他ユーザへの干渉低減、システム容量の確保にも寄与できる。
【発明を実施するための最良の形態】
【００１８】
以下、添付図面に従って本発明に好適なる実施の形態を詳細に説明する。なお、全図を通して同一符号は同一又は相当部分を示すものとする。図１は第１の実施の形態による移動局装置のブロック図で、情報を含まないブロック（０ビットＴＢ）の受信に適した第１の目標ＳＩＲ閾値１と、情報を含むブロック（ＤＣＣＨ等）の受信に適した第２の目標ＳＩＲ閾値２とによって目標ＳＩＲを最適に更新する場合を示している。なお、本明細書では、個別物理制御チャネルＨＳ−ＤＰＣＣＨのことを単位ＤＣＣＨとも呼ぶ。
【００１９】
図において、１１はアンテナ、１２は無線部、２０は送受信信号の変／復調処理を行うモデム（ＭＯＤＥＭ）、２１は受信信号を逆拡散復調する逆拡散復調部、２２は送信電力のインナーループ制御を行うインナーループ処理部（ＩＮ）、２３は受信パイロット信号のＳＩＲ（Signal to Interference power Ratio)を測定するＳＩＲ測定部、２４は測定ＳＩＲと目標ＳＩＲとを比較するＳＩＲ比較部、２５は測定ＳＩＲと目標ＳＩＲの比較結果に基づき、受信ＳＩＲを目標ＳＩＲに近づけるための上りＴＰＣビットを生成するＴＰＣ生成部、２６は送信信号にＴＰＣビットを多重して拡散変調する拡散変調部、３０は送受信データの符号／復号処理を行うコーデック（ＣＯＤＥＣ）、３１は受信データの復号部、３２は受信ブロックのトランスポートフォーマットＴＦを予め決められたＴＦパターンの中からＣＲＣ結果を用いてブラインドで検出処理するＢＴＦＤ(Blind Transport Format Detection)処理部、３３はＢＴＦＤの処理結果に従い当該受信ブロックが０ビットＴＢ等の情報を含まない受信ブロックかＤＣＣＨ等の情報を含む受信ブロックかを判定するデータ有無判定部、３４ａはデータ有無の判定結果に基づき所要受信品質を得るための目標ＳＩＲ更新処理（アウターループ制御に相当）を行う目標ＳＩＲ更新部、３５は送信データを符号化する符号部である。
【００２０】
係る構成により、無線部１２からの受信信号は逆拡散復調部２１で逆拡散復調され、復
号部３１で復号されて受信データとなる。また、移動局の送信データは符号部３５で符号化及び拡散変調部２６で拡散変調され、無線部１２を介して基地局に送信される。インナーループ制御では、逆拡散復調部２１で分離・復調されたパイロット信号の受信ＳＩＲを測定し、該測定ＳＩＲを所要受信品質を得るための目標ＳＩＲと比較すると共に、該比較結果に基づいて上りＴＰＣビットを生成し、基地局の送信電力制御を行う。即ち、測定ＳＩＲが目標ＳＩＲよりも低い時は送信電力を上げるＴＰＣビットを送信し、これにより基地局の送信電力を上げ、また測定ＳＩＲが目標ＳＩＲよりも高い時は送信電力を下げるＴＰＣビットを送信し、基地局の送信電力を下げる。
【００２１】
アウターループ制御では、復号部３１からの受信信号に基づき所要受信品質を得るための目標ＳＩＲを更新する。即ち、ＢＴＦＤ処理部３２ではＢＴＦＤ処理により、受信ブロックが情報なしのブロック（０ビットデータとＣＲＣとからなる０ビットＴＢ）であるのか、情報有りブロック（ＤＣＣＨ等）であるのかを判別する。目標ＳＩＲ更新部３４ａでは、これらのブロックの受信品質（ＣＲＣ検査結果）に基づき目標ＳＩＲを更新する。
【００２２】
図２は第１の実施の形態による目標ＳＩＲ更新処理のフローチャートであり、あるブロックを受信する度にこの処理に入力する。ステップＳ１１では受信ブロックに対するＢＴＦＤ処理により、あり得るトランスポートフォーマットＴＦについて順次デコードを行い、ＣＲＣ−ＯＫとなったフォーマットを受信ブロックのＴＦとして処理する。ステップＳ１２では当該受信ブロックについてステップＳ１１で行ったＣＲＣ演算がＯＫであったか否かを判別し、ＣＲＣ−ＯＫの場合はステップＳ１３でブロックカウンタＮに＋１する。ステップＳ１４ではブロックカウンタＮが所定ブロック数Ｋ以上になったか否かを判別し、以上でない場合はこの処理を抜ける。
【００２３】
こうして、やがて、Ｎ≧Ｋになった場合は、所定ブロック数Ｋ以上についてＣＲＣ−ＯＫ（目標以上の受信品質）であったことになるため、ステップＳ１５で目標ＳＩＲを所定量（ｂ[ｄＢ]）だけ下げる。ステップＳ１６では、当該受信ブロックが情報無しの０ビットＴＢであったか、情報有りのＤＣＣＨであったかを判別する。０ビットＴＢの場合はステップＳ１７で目標ＳＩＲが０ビットＴＢの受信に最適な目標ＳＩＲ閾値１を下回ったか否かを判別し、下回っていない場合はこの処理を抜ける。また、下回った場合は、ステップＳ１８で目標ＳＩＲを目標ＳＩＲ閾値１に戻し、この処理を抜ける。従って、０ビットＴＢを正常受信した際の目標ＳＩＲは目標ＳＩＲ閾値１を下回ることは無い。
【００２４】
また、上記ステップＳ１６の判別で当該受信ブロックがＤＣＣＨの場合は、ステップＳ１９で目標ＳＩＲがＤＣＣＨの受信に最適な目標ＳＩＲ閾値２を下回ったか否かを判別し、下回っていない場合はこの処理を抜ける。また、下回った場合はステップＳ２０で目標ＳＩＲを目標ＳＩＲ閾値２に戻し、この処理を抜ける。従って、ＤＣＣＨを正常受信した際の目標ＳＩＲは目標ＳＩＲ閾値２を下回らない。このため、引き続きＤＣＣＨを受信してもこれらを正常受信できる可能性が高い。
【００２５】
また、上記ステップＳ１３の判別でＣＲＣ−ＯＫでない場合は、ステップＳ２１でブロックカウンタＮ＝０にリセットする。ステップＳ２２では目標ＳＩＲが目標ＳＩＲ閾値２を下回っているか否かを判別し、下回っている場合はステップＳ２３で目標ＳＩＲに目標ＳＩＲ閾値２をセットし、この処理を抜ける。これにより、ＣＲＣ−ＮＧであった時は目標ＳＩＲが速やかに目標ＳＩＲ閾値２に上がり、よって続く受信ブロックを正常受信できる可能性が高い。また、上記ステップＳ２２の判別で目標ＳＩＲ閾値２を下回っていない場合はステップＳ２４で目標ＳＩＲをｂ[ｄＢ]だけ増加させ、この処理を抜ける。これにより、続く受信ブロックを正常受信できる可能性が高い。
【００２６】
図３に第１の実施の形態による目標ＳＩＲ更新処理の動作タイミングチャートを示す。
ＨＳＤＰＡによる通信開始後、アウターループ制御を開始する。通常は０ビットＴＢの受信が連続し、ＣＲＣ−ＯＫが続くため、目標ＳＩＲは初期値から速やかに目標ＳＩＲ閾値１まで引き込まれ、収束（定常）状態になる。この状態で、ＣＲＣ−ＮＧとなった時は、目標ＳＩＲを速やかに目標ＳＩＲ閾値２に上げる。これにより次の０ビットＴＢは正常受信される可能性が高い。また、次にＤＣＣＨが受信される場合でも正常受信できる可能性が高い。
【００２７】
なお、目標ＳＩＲ閾値１は０ビットＴＢを所要受信品質（ＢＬＥＲ）で受信可能な閾値、また目標ＳＩＲ閾値２はＤＣＣＨを所要受信品質（ＢＬＥＲ）で受信可能な閾値であり、予め多くの測定データに基づき統計的に決定されている。また、目標ＳＩＲ閾値１と目標ＳＩＲ閾値２との間の差ａ[ｄＢ]は、結果として０ビットＴＢとＤＣＣＨとの間における希望波１チップ当たりの受信電力と雑音電力の比（Ｅｃ/Ｎｏ）の差を補うような値となっている。
【００２８】
目標ＳＩＲが目標ＳＩＲ閾値２の状態でＣＲＣ−ＯＫが所定ブロック数ｋ分連続した場合は、この例では０ビットＴＢを正常受信したことにより目標ＳＩＲを所定量（ｂ[ｄＢ]）づつ下げていき、最終的には目標ＳＩＲ閾値１まで下げる。なお、図示しないが、目標ＳＩＲを目標ＳＩＲ閾値１まで下げている途中で、もしＤＣＣＨを正常受信した場合は、上記ステップＳ２０の処理により、目標ＳＩＲは目標ＳＩＲ閾値２に戻される。従って、次にＤＣＣＨが続いてもこれを正常受信する可能性が高いと共に、ブロックカウンタＮはリセットされないので、その後に０ビットＴＢを正常受信した場合には、目標ＳＩＲは目標ＳＩＲ閾値１に向けて速やかに下がり始める。従って、迅速で効率よいアウターループ信制御を行える。
【００２９】
その後、図の例では１７ブロック目のＤＣＣＨがＣＲＣ−ＮＧとなったことにより、目標ＳＩＲを目標ＳＩＲ閾値２まで一挙に上げるが、続く１８ブロック目のＤＣＣＨもＣＲＣ−ＮＧであったことにより、更にｂ[ｄＢ]だけ上昇させている。これにより、２０ブロック目に再送されたＤＣＣＨは正常受信されると共に、その後、２２ブロック目までの０ビットＴＢを正常受信したこにより目標ＳＩＲはｂ[ｄＢ]だけ下がっている。従って、通信環境（移動局の速度、伝搬環境等）の予想外の変化（劣化）に対しても迅速かつ適正に対応できる。
【００３０】
図４は第２の実施の形態による移動局装置のブロック図で、パイロット信号のエラーレートからＴｒＣＨの受信品質（ＢＬＥＲに相当）を補足推定し、目標ＳＩＲ閾値１に補正（オフセット）を加える場合を示している。ＣＲＣによる検査では誤り訂正後のデータに基づき受信品質を判定するのに対して、同期ワードエラーはＭＯＤＥＭ２０で検出された受信品質であるため、より無線環境の変動に忠実な情報が迅速に得られる。従って、デコーダとしての受信品質（ＢＬＥＲに相当）にＭＯＤＥＭとしての受信品質の判断を加味することにより、より迅速で、かつきめ細かい目標ＳＩＲの更新処理を適正に行える。
【００３１】
同期判定は、各スロットの同期ワードパターン(パイロットビット)を監視することで、個別チャネルオープン時の初期同期判定や通信中の同期監視により行われる。本実施の形態ではこの同期監視機能を利用して目標ＳＩＲ閾値の補正処理を行う。即ち、同期ワードエラー測定部４１では逆拡散復調部２１からの同期検波されたスロット毎の受信パイロット（同期ワードＳＷ）と、既知の同期ワードパターンとを比較し、同期ワードエラーを測定する。ＤＳＰ４２ではレートマッチング率ＲＭを計算し、ＲＭに応じた同期引き込み判定閾値Ｑｉｎや、同期外れ判定閾値Ｑｏｕｔを計算する。更に、ＤＳＰ４２では、フレーム毎のＳＷエラービット数を積算し、ネットワークから指定される同期確立時間とカウンタを使用してｎフレーム分のＳＷエラービット数と閾値Ｑｉｎ，Ｑｏｕｔとの比較を行い、ＭＯＤＥＭ２０としてのＳＷ正常／ＳＷエラーの判定を行う。
【００３２】
図５に同期ワード監視に基づく目標ＳＩＲ更新処理の動作タイミングチャートを示す。ＭＯＤＥＭ２０としてのＳＷエラーが検出された場合は、無線環境の大幅な変動やＡ−ＤＰＣＨ送信電力の下げ過ぎによりＳＷ ビットや下りＴＰＣビットの受信状態が劣化していると考えられるため、目標ＳＩＲの更新タイミングで目標ＳＩＲ閾値１にオフセットｄ[ｄＢ]を加えた状態で、上記第１の実施の形態に従う目標ＳＩＲの更新処理を行う。なお、目標ＳＩＲ閾値１にオフセットｄ[ｄＢ]を加えると、これに連動して目標ＳＩＲ閾値２もオフセットｄ[ｄＢ]だけ上がる。こうして、Ａ−ＤＰＣＨの送信電力を上げることで、ＳＷや下りＴＰＣビットの受信改善が可能となる。
【００３３】
なお、ＳＷエラービット数に閾値ｐビットを設けておき、ＳＷエラービット数がｐビットを超えた時の目標ＳＩＲ更新タイミングで目標ＳＩＲ閾値１にオフセットｄ[ｄＢ]を加えるようにしても良い。ネットワークから指定される同期確立時間は１００ｍｓ単位であるので、ＳＷエラービット数は１０フレーム分以上積算される。スロットフォーマット＝４とした場合、スロット毎のＳＷビットは４ビットであるので、ＳＷエラービットを１０フレーム分積算するとした場合、ＳＷエラービット数は４０ビットである。
【００３４】
Ａ−ＤＰＣＨは４フレームインタリーブであるので、例えば４フレーム連続でＳＷエラーを検出した時のＳＩＲ更新タイミングで目標ＳＩＲ閾値１にオフセットd[ｄＢ]を加え、８フレーム連続でＳＷエラーを検出した時のＳＩＲ更新タイミングで目標ＳＩＲ閾値１にオフセットｅ[ｄＢ]を加えることで、目標ＳＩＲの更新制御を行い、Ａ−ＤＰＣＨの送信電力制御を行う。
【００３５】
図６は第３の実施の形態による移動局装置のブロック図で、移動局が報告するＣＱＩ値に応じて、自己の目標ＳＩＲ閾値１に補正（オフセット）を加える場合を示している。図において、ＳＩＲ測定部４５では、ＨＳＤＰＡ通信中の受信品質を下り共通パイロットチャネルＣＰＩＣＨのＳＩＲにより測定する。このＣＰＩＣＨは、各セルに１つ存在し、主に下りチャネルのチャネル推定、移動局のセルサーチ用、同一セル内の他の物理チャネルのタイミング基準等としても用いられる。
【００３６】
ＣＱＩ判定部４６では、不図示のＳＩＲ−ＣＱＩ変換テーブルを使用して、測定ＳＩＲを０〜３０のＣＱＩ値に変換すると共に、得られたＣＱＩ値は不図示の経路で基地局に報告される。またこのＣＱＩ値は受信環境により変動し、ばらつきがあるので、好ましくは、ＣＱＩ判定部４６で報告ＣＱＩの移動平均を求め、得られた平均ＣＱＩのうち、３０〜２０を高ＣＱＩ、１９〜１０を中ＣＱＩ、９〜０を低ＣＱＩとして３つのクラスに分ける。目標ＳＩＲ更新部３４ｃでは、上記第１の実施の形態に従う目標ＳＩＲ更新処理を行うと共に、その際の目標ＳＩＲ閾値１にＣＱＩクラスに応じた閾値オフセットを加えた値で更新制御を行う。なお、目標ＳＩＲ閾値１にオフセットを加えると、これに伴い目標ＳＩＲ閾値２も同一オフセットが加わる。
【００３７】
図７の 挿入図（Ａ）に一例のＣＱＩクラスと目標ＳＩＲ閾値１に加えるオフセットとの関係を示す。平均のＣＱＩが３０〜２０の高ＣＱＩの場合は受信状態が良いので、目標ＳＩＲ閾値１に加えるオフセットは無しとする。一方、中ＣＱＩ（１０〜１９）では、高ＣＱＩに比べて受信環境が劣化しているので、ＣＰＩＣＨ_ＳＩＲの差分を補うような大きさのオフセットｆ[ｄＢ]を加える。また低ＣＱＩ（０〜９）では、中ＣＱＩよりも受信環境が更に劣化しているので、高ＣＱＩ時との差分を補うような大きさのオフセットｇ[ｄＢ]を加える。
【００３８】
図７に第３の実施の形態による目標ＳＩＲ更新処理の動作タイミングチャートを示す。ＣＱＩの移動平均値が高ＣＱＩから中ＣＱＩに状態変化した場合は、目標ＳＩＲ閾値１に
オフセットｆ[ｄＢ]を加えた状態で、上記第１の実施の形態による目標ＳＩＲ更新処理と、これに伴うＡ−ＤＰＣＨの送信電力制御を行う。この例の目標ＳＩＲ閾値２は６番目の０ビットＴＢを受信したタイミングでｆ[ｄＢ]上昇しているが、目標ＳＩＲの方は、１０番目の０ビットＴＢがＣＲＣ−ＮＧとなったタイミングに目標ＳＩＲ閾値２＋ｆ[ｄＢ]のレベルに上昇している。
【００３９】
また、ＣＱＩの移動平均値が中ＣＱＩから低ＣＱＩに状態変化した場合は、目標ＳＩＲ閾値１にオフセットｇ[ｄＢ]を加えた状態で、第１の実施の形態による目標ＳＩＲ更新処理と、これに伴うＡ−ＤＰＣＨの送信電力制御を行う。更に、ＣＱＩの移動平均値が低ＣＱＩから高ＣＱＩに状態変化した場合は、目標ＳＩＲ閾値１に加えたオフセットは無くなるが、目標ＳＩＲは第１の実施の形態に従ってｂ[ｄＢ]づｔづ低下するため、段階的に、かつ速やかに低下する。
【００４０】
なお、上記本発明に好適なる複数の実施の形態を述べたが、本発明思想を逸脱しない範囲内で各部の構成、制御、処理及びこれらの組合せの様々な変更が行えることは言うまでも無い。
【図面の簡単な説明】
【００４１】
【図１】第１の実施の形態による移動局装置のブロック図である。
【図２】第１の実施の形態による目標ＳＩＲ更新処理のフローチャートである。
【図３】第１の実施の形態による目標ＳＩＲ更新処理の動作タイミングチャートである。
【図４】第２の実施の形態による移動局装置のブロック図である。
【図５】第２の実施の形態による目標ＳＩＲ更新処理の動作タイミングチャートである。
【図６】第３の実施の形態による移動局装置のブロック図である。
【図７】第３の実施の形態による目標ＳＩＲ更新処理の動作タイミングチャートである。
【図８】従来技術を説明する図である。
【符号の説明】
【００４２】
１１  アンテナ
１２  無線部
２０  モデム（ＭＯＤＥＭ）
２２  インナーループ処理部（ＩＮ）
２６  拡散変調部
３０  コーデック（ＣＯＤＥＣ）
３２  ＢＴＦＤ(Blind Transport Format Detection)処理部
３３  目標ＳＩＲ更新部
４１  同期ワードエラー（ＳＷＥＲ）測定部
４２  ＤＳＰ
【図１】
2008011002.tif 000003
【図２】
2008011002.tif 000004
【図３】
2008011002.tif 000005
【図４】
2008011002.tif 000006
【図５】
2008011002.tif 000007
【図６】
2008011002.tif 000008
【図７】
2008011002.tif 000009
【図８】
2008011002.tif 000010